(57)【要約】 【課題】  誤検出を防止する。【解決手段】  点灯検査装置２０は、液晶パネル１１を支持するパネル支持部２１と、液晶パネル１１に対して光を照射する検査用バックライト装置２２とを備える。検査用バックライト装置２２には、液晶パネル１１と線状光源２９との間に配され、透光性を有する光学シート２３が一体的に保持されている。そして、点灯検査装置２０は、光学シート２３の表面Ｓに接触可能な拭浄手段２４と、拭浄手段２４を光学シート２３の表面Ｓに沿って移動させることが可能な移動手段２５とを備えている。【選択図】  図１
2007025132.tif 000002
【特許請求の範囲】
【請求項１】
透光性を有するとともに電界印加によって光学特性が変化する物質を挟持する表示パネルの点灯検査を行うためのものであって、
前記表示パネルを支持可能なパネル支持部と、
前記表示パネルに対して光を照射可能な検査用照明装置と、
前記表示パネルと前記検査用照明装置の光源との間に配され、透光性を有する面状部材とを備えたものにおいて、
前記面状部材の表面に接触可能な拭浄手段と、
前記拭浄手段を前記面状部材の表面に沿って移動させることが可能な移動手段とを備えていることを特徴とする点灯検査装置。
【請求項２】
前記移動手段は、前記拭浄手段に設けられた被ガイド部と、この被ガイド部が摺接されることで前記拭浄手段の移動動作をガイド可能なガイドレール部とから構成されていることを特徴とする請求項１記載の点灯検査装置。
【請求項３】
前記ガイドレール部が前記パネル支持部または前記検査用照明装置のいずれかに一体的に設けられていることを特徴とする請求項２記載の点灯検査装置。
【請求項４】
前記被ガイド部は、前記拭浄手段における両端部に一対設けられるとともに、それに合わせて前記ガイドレール部も一対設けられていることを特徴とする請求項２または請求項３記載の点灯検査装置。
【請求項５】
前記面状部材が矩形状に形成されたものにおいて、
前記ガイドレール部は、前記面状部材の長手方向に沿って延びる形態とされていることを特徴とする請求項２ないし請求項４のいずれかに記載の点灯検査装置。
【請求項６】
前記拭浄手段は、前記面状部材の表面に接触可能な拭浄部材と、この拭浄部材が着脱可能な状態で保持される保持部材とから構成されており、
前記移動手段は、前記拭浄手段を前記面状部材の外端よりもさらに外側まで移動できるようになっていることを特徴とする請求項１ないし請求項５のいずれかに記載の点灯検査装置。
【請求項７】
前記拭浄手段は、前記面状部材の表面に接触可能な拭浄部材と、この拭浄部材が着脱可能な状態で保持される保持部材とから構成されており、
前記移動手段は、前記拭浄手段を前記パネル支持部の外端よりもさらに外側まで移動できるようになっていることを特徴とする請求項１ないし請求項６のいずれかに記載の点灯検査装置。
【請求項８】
前記拭浄手段は、前記面状部材の表面に接触可能な拭浄部材と、この拭浄部材が着脱可能な状態で保持される保持部材とから構成されており、
前記拭浄手段を前記面状部材に対して接離する方向へ変位させることが可能な接離方向変位手段を備えていることを特徴とする請求項１ないし請求項５のいずれかに記載の点灯検査装置。
【発明の詳細な説明】
【技術分野】
【０００１】
本発明は、点灯検査装置に関する。
【背景技術】
【０００２】
液晶表示装置は、大まかには自発光しない液晶パネルと、外部光源としてバックライト装置とを備えている。液晶パネルは、大まかには互いに対向する一対のガラス基板間に液晶を充填するとともに両ガラス基板の対向面にそれぞれスイッチング素子と画素電極とを設けた構成とされ、両ガラス基板の外面側に一対の偏光板が貼り付けられるようになっている。この液晶表示装置に画像を表示させるには、バックライト装置を点灯させるとともに、各スイッチング素子に電圧を印加することにより液晶の配向、つまり光学特性を制御する。すると、バックライト装置から照射された光は、液晶を通過する際にその配向状態に応じて偏光状態が変化するなどし、もって液晶パネルに所定の画像が表示されるようになっている。
【０００３】
ところで、この液晶パネルを製造する過程では、例えば所定のスイッチング素子や画素電極に欠陥があったり、液晶中に異物が混入していたり、また偏光板を貼り付ける際にガラス基板との間に異物が侵入するなどの問題が生じることがある。これらの問題に起因して、所定の画素が常時光を透過させる輝点欠陥や、常時光を遮る黒点欠陥などの欠陥が液晶パネルに生じるおそれがあるため、これらの欠陥を製造過程で検出することを目的として、点灯検査装置が用いられている。
【０００４】
点灯検査装置は、大まかには液晶パネルを支持するパネル支持部と、液晶パネルに対して光を照射するための検査用バックライト装置と、検査用バックライト装置の線状光源から照射される光を面状に変換するための複数の光学シートとを備えている。そして、液晶パネルに対して検査用の信号を供給しつつ、検査用バックライト装置を点灯させることで、所定の画像を表示させるとともに、上記した各種欠陥を作業員による目視またはＣＣＤカメラなどによる画像処理によって検出するようにしている。
【０００５】
なお、液晶パネルの製造工程で用いられる点灯検査装置の一例として下記特許文献１に記載されたものが知られている。
【特許文献１】特開２００３−７５７９２公報
【発明の開示】
【発明が解決しようとする課題】
【０００６】
ところで、上記した点灯検査装置では、長期間の使用に伴って光学シートの表面上に塵埃などが付着するなどして残存することが懸念される。この残存した塵埃に対して検査用バックライト装置から照射される光が当たると、光が乱反射するなどしてその部分が光って見える場合があり、そうなると液晶パネルに何の欠陥もないにも拘わらず、液晶パネルの輝点欠陥として誤って検出されるおそれがある。
【０００７】
本発明は上記のような事情に基づいて完成されたものであって、誤検出を防止することを目的とする。
【課題を解決するための手段】
【０００８】
上記の目的を達成するための手段として、請求項１の発明は、透光性を有するとともに電界印加によって光学特性が変化する物質を挟持する表示パネルの点灯検査を行うためのものであって、前記表示パネルを支持可能なパネル支持部と、前記表示パネルに対して光を照射可能な検査用照明装置と、前記表示パネルと前記検査用照明装置の光源との間に配され、透光性を有する面状部材とを備えたものにおいて、前記面状部材の表面に接触可能な拭浄手段と、前記拭浄手段を前記面状部材の表面に沿って移動させることが可能な移動手段とを備えている構成としたところに特徴を有する。
【０００９】
請求項２の発明は、請求項１に記載のものにおいて、前記移動手段は、前記拭浄手段に設けられた被ガイド部と、この被ガイド部が摺接されることで前記拭浄手段の移動動作をガイド可能なガイドレール部とから構成されているところに特徴を有する。
【００１０】
請求項３の発明は、請求項２に記載のものにおいて、前記ガイドレール部が前記パネル支持部または前記検査用照明装置のいずれかに一体的に設けられているところに特徴を有する。
【００１１】
請求項４の発明は、請求項２または請求項３に記載のものにおいて、前記被ガイド部は、前記拭浄手段における両端部に一対設けられるとともに、それに合わせて前記ガイドレール部も一対設けられているところに特徴を有する。
【００１２】
請求項５の発明は、請求項２ないし請求項４のいずれかに記載のものにおいて、前記面状部材が矩形状に形成されたものにおいて、前記ガイドレール部は、前記面状部材の長手方向に沿って延びる形態とされているところに特徴を有する。
【００１３】
請求項６の発明は、請求項１ないし請求項５のいずれかに記載のものにおいて、前記拭浄手段は、前記面状部材の表面に接触可能な拭浄部材と、この拭浄部材が着脱可能な状態で保持される保持部材とから構成されており、前記移動手段は、前記拭浄手段を前記面状部材の外端よりもさらに外側まで移動できるようになっているところに特徴を有する。
【００１４】
請求項７の発明は、請求項１ないし請求項６のいずれかに記載のものにおいて、前記拭浄手段は、前記面状部材の表面に接触可能な拭浄部材と、この拭浄部材が着脱可能な状態で保持される保持部材とから構成されており、前記移動手段は、前記拭浄手段を前記パネル支持部の外端よりもさらに外側まで移動できるようになっているところに特徴を有する。
【００１５】
請求項８の発明は、請求項１ないし請求項５のいずれかに記載のものにおいて、前記拭浄手段は、前記面状部材の表面に接触可能な拭浄部材と、この拭浄部材が着脱可能な状態で保持される保持部材とから構成されており、前記拭浄手段を前記面状部材に対して接離する方向へ変位させることが可能な接離方向変位手段を備えているところに特徴を有する。
【発明の効果】
【００１６】
＜請求項１の発明＞
表示パネルを検査するには、検査用照明装置の光源を点灯させ、面状部材を通してパネル支持部により支持された表示パネルに対して光を照射するようにする。この検査を行う前に、面状部材の表面に接触した状態の拭浄手段を移動手段によって移動させることで、面状部材の表面にある塵埃などを拭き取ることができる。従って、表示パネルを検査する際には、面状部材の表面に塵埃などが残存していないので、表示パネルに欠陥がないにも拘わらず欠陥が誤検出されるのを防止することができる。しかも、拭浄手段を移動手段によって移動させるだけで面状部材の清掃を行うことができるから、作業性が良好なものとなっている。
【００１７】
＜請求項２の発明＞
ガイドレール部に被ガイド部を摺接させることで、拭浄手段の移動動作をガイドすることができるから、作業性に優れる。
【００１８】
＜請求項３の発明＞
既存の構成であるパネル支持部または検査用照明装置のいずれを利用してガイドレール部を設けることができるから、構造の簡素化を図ることができる。
【００１９】
＜請求項４の発明＞
拭浄手段の両端部に一対設けられた被ガイド部を対応する一対のガイドレール部によりガイドするようにしたから、移動動作をよりスムーズなものとすることができ、作業性の向上に寄与することができる。
【００２０】
＜請求項５の発明＞
拭浄手段を面状部材の長手方向に沿って直線的に移動させることができるから、移動動作を安定化させることができ、作業性の向上に寄与できる。
【００２１】
＜請求項６の発明＞
拭浄手段を面状部材の外端よりもさらに外側まで移動させると、拭浄部材が面状部材に対して非接触の状態とされるので、拭浄部材の交換作業を容易に行うことができ、作業性に優れる。
【００２２】
＜請求項７の発明＞
拭浄手段をパネル支持部の外端よりもさらに外側まで移動させた状態で、拭浄部材の交換作業を行うことができるから、交換時にパネル支持部が邪魔にならず、作業性に優れる。
【００２３】
＜請求項８の発明＞
拭浄部材が面状部材に対して接触した状態から、接離方向変位手段によって拭浄部材が面状部材から離間する位置まで移動させた後、拭浄部材を交換することができる。
【発明を実施するための最良の形態】
【００２４】
＜実施形態１＞
本発明の実施形態１を図１ないし図６によって説明する。この実施形態１では、液晶表示装置１０を構成する液晶パネル１１の点灯検査装置２０を示し、特に液晶表示装置１０の製造工程のうち液晶パネル１１に偏光板１７を貼り付けた後に行われる点灯検査で用いられるものを例示する。なお、以下では上下方向や左右方向の記載については図３を基準とする。
【００２５】
液晶表示装置１０は、図６に示すように、大まかには透光性を有するとともに横長な矩形状の液晶パネル１１と、液晶パネル１１の裏側に配されるとともに液晶パネル１１に向けて光を照射可能なバックライト装置１２と、バックライト装置１２に対して液晶パネル１１を保持するための枠状をなすベゼル１３とから構成される。
【００２６】
液晶パネル１１は、一対の透明なガラス基板１４と、両ガラス基板１４間に充填される液晶１５とを備えている。両ガラス基板１４は、互いに対向するとともにスペーサによって間に所定のギャップを空けた状態で貼り合わせられ、間に挟持された液晶１５は、シール剤１６によって取り囲まれて液密状態に保たれる。両ガラス基板１４のうち、裏側のガラス基板１４の対向面（液晶１５側の面）には、互いに直交するソース配線とゲート配線とに接続されたスイッチング素子（例えばＴＦＴ）が、表側のガラス基板１４の対向面には、Ｒ，Ｇ，Ｂの画素電極がそれぞれマトリックス状に設けられている。また裏側のガラス基板１４の端部には、各配線に接続された端子部が設けられている。詳しくは、裏側のガラス基板１４における図３に示す上側の端部には、ゲート配線に接続されたゲート端子部が、右側の端部には、ソース配線に接続されたソース端子部（ゲート端子部共々図示せず）がそれぞれ外部に露出した状態で形成されている。上記した液晶パネル１１における両ガラス基板１４の外面（液晶１５側とは反対側の面）には、それぞれ偏光板１７が貼り付けられている。
【００２７】
両ガラス基板１４間に挟持された液晶１５は、各配線に信号が付与されて電圧（電界）が印加されるのに伴って配向状態が変化し、それに伴って液晶１５を通る光の偏光状態が変化されるようになっている。つまり、印加する電圧値を制御することにより、液晶１５の配向状態を制御してその光学特性を変化させることが可能とされる。そして、液晶パネル１１の表裏に貼り付けられた両偏光板１７は、透過する光の振動を所定の方向に規制できるようになっており、これにより上記した液晶１５の光学特性の変化を可視化できるようになっている。
【００２８】
上記した液晶表示装置１０の製造工程では、液晶パネル１１の両ガラス基板１４の外面にそれぞれ偏光板１７を貼り付ける作業を行った後、液晶パネル１１をバックライト装置１２に組み付ける作業などを行うのであるが、その前に偏光板１７を貼り付けた状態の液晶パネル１１の点灯検査を行うようにしており、続いてそれに用いられる点灯検査装置２０について詳しく説明する。
【００２９】
この点灯検査装置２０は、図１ないし図３に示すように、液晶パネル１１を着脱可能な状態で支持するパネル支持部２１と、液晶パネル１１に対して光を照射可能な検査用バックライト装置２２と、液晶パネル１１と検査用バックライト装置２２の線状光源２９との間に配される光学シート２３と、光学シート２３の表面Ｓに接触可能な拭浄手段２４と、拭浄手段２４を光学シート２３の表面Ｓに沿って移動させることが可能な移動手段２５とを備えている。
【００３０】
パネル支持部２１は、全体が液晶パネル１１と同様に横長な矩形の枠状に形成され、その中央の開口部２１ａが液晶パネル１１とほぼ同じかやや大きくなる程度の大きさに設定されている。この開口部２１ａを通して検査用バックライト装置２２からの光が液晶パネル１１へと供給されるようになっている。パネル支持部２１における開口部２１ａの表側の周縁部には、表側から載せられる液晶パネル１１を支持可能な支持ピン２６が設けられている。支持ピン２６は、開口部２１ａの周縁部のうち図３に示す下側部分と左側部分とにそれぞれ３本ずつ等間隔に並んで配されている。このパネル支持部２１は、水平面に対して所定角度（例えば６０〜７０度程度）傾斜した姿勢で床面に対して固定されており、支持される液晶パネル１１なども同様の傾斜姿勢とされる。
【００３１】
パネル支持部２１の開口部２１ａの周縁部のうち支持ピン２６が配されていない部分には、液晶パネル１１の各端子部に対して接続されるとともに検査用の信号を供給可能な接続部品２７が設けられている（図１や図２では図示を省略する）。この接続部品２７は、液晶パネル１１の各端子部に対して接触可能な接触端子と、液晶パネル１１を駆動するためのドライバ（例えばＬＳＩ）とを備えるとともに、外部のコントロール基板に接続されている。接続部品２７は、液晶パネル１１の外側にて立った姿勢で待機する待機位置（図５）と、液晶パネル１１とほぼ平行をなし各接触端子が各端子部に接触される接続位置（図３）との間を傾動可能とされる。また接続部品２７のうち、図３に示す上側に配されたものがゲート配線用で、右側に配されたものがソース配線用のものとされる。
【００３２】
検査用バックライト装置２２は、液晶パネル１１と同様に横長な矩形状をなすとともに表面側の所定領域が開口した略箱形をなすケース２８と、ケース２８内に互いに平行に並んだ状態で収容される複数本の線状光源２９（例えば冷陰極管）とを備えている。ケース２８は、パネル支持部２１よりも左右に横長に形成され、その開口部２８ａは、液晶パネル１１の外形よりも大きく設定されている。このケース２８における横方向の両側部（パネル支持部２１から横方向外側に突出した部分）は、後述する拭浄手段２４とほぼ同じかそれより少し大きな幅寸法を有する。線状光源２９は、ケース２８の短辺方向に沿って複数本並んで配されており、各線状光源２９から発せられた光は、ケース２８の開口部２８ａを通して表側の液晶パネル１１に向けて照射されるようになっている。そして、このケース２８の開口部２８ａには、枠状をなす保持フレーム３０によって次述する光学シート２３が一体的に保持されている。
【００３３】
光学シート２３は、ケース２８の開口部２８ａに合わせて横長な矩形状に形成されるとともに、複数枚積層した状態（例えば図２では裏側から拡散板、拡散シート、レンズシート、及び輝度上昇シートの順で積層した状態）で検査用バックライト装置２２に対して一体的に保持されている。各光学シート２３は、いずれも透光性を有する面状の部材であり、各線状光源２９から発せられる光を面状に変換するためのものである。そして、一番表側に配された光学シート２３の表面Ｓが外部に露出した状態とされる。
【００３４】
次に、拭浄手段２４について詳細に説明する。拭浄手段２４は、光学シート２３の表面Ｓに対して接触可能な拭浄部材３１と、拭浄部材３１を着脱可能な状態で保持する保持部材３２とを備える。この拭浄手段２４は、パネル支持部２１と同様に表面側が斜め上方を向いた傾斜姿勢とされる。保持部材３２は、図示上下方向、つまりケース２８（液晶パネル１１や光学シート２３）の短辺方向に沿って延びるとともに所定の幅寸法を持った略板状に形成されている。保持部材３２は、その長さ寸法がケース２８や光学シート２３の短辺寸法よりも少し短く設定されており、その裏面のほぼ全域が光学シート２３の表面Ｓと対向した状態とされる。
【００３５】
拭浄部材３１は、自己発塵性が低く且つ除塵性能に優れた合成繊維製の布材からなる。拭浄部材３１は、長さ寸法が保持部材３２とほぼ同じに設定されるとともに、幅寸法が保持部材３２よりも大きく設定される。そして、この拭浄部材３１は、保持部材３２に対してその外周面を取り囲むよう巻き付けられるとともに、その長さ方向に沿った両端部が保持部材３２の表面側で対向した状態で取り付けられる。拭浄部材３１は、その長さ方向に沿った両端部付近に表側から留められる留め具３３によって保持部材３２に対して固定されるようになっている。この拭浄部材３１のうち保持部材３２の裏側に配される部分は、保持部材３２が光学シート２３と対向した状態において、保持部材３２と光学シート２３との間にて挟まれるとともに両者に密接した状態に保たれる。
【００３６】
続いて、上記した拭浄手段２４を移動させるための移動手段２５について詳しく説明する。移動手段２５は、拭浄手段２４に設けられた被ガイド部３４と、被ガイド部３４が摺接可能なガイドレール部３５とを備える。被ガイド部３４は、拭浄手段２４における保持部材３２の上下両端部に一対設けられている。被ガイド部３４は、断面略「コ」字型をなすとともに、一端側が保持部材３２に対して連結されるのに対し、他端側が次述するガイドレール部３５のガイド溝部３７に対して嵌合されるようになっている。また上側の被ガイド部３４における上面側には、側方から見てＬ字型をなすとともに表側へ突出する把手３６が設けられている。把手３６は、パネル支持部２１よりもさらに表側へ突出する長さとされており、液晶パネル１１の点灯検査を行う作業員が表側から操作可能とされている。
【００３７】
ガイドレール部３５は、ケース２８の上下両端面に形成された溝内に埋め込まれた状態で一対設けられている、ガイドレール部３５は、上方または下方に開口した断面略「コ」字型をなすとともに、横方向、つまりケース２８の長手方向（光学シート２３の表面Ｓに沿い且つその長手方向）に沿って延びる形態とされている。このガイドレール部３５における開口部分がガイド溝部３７となっており、ここに被ガイド部３４が嵌合されることで、保持部材３２が光学シート２３との間で拭浄部材３１を密接状態に挟持する位置にて支持されている。このとき、保持部材３２と光学シート２３との間の隙間は、拭浄部材３１の厚みとほぼ同じかそれよりも少し小さく設定される。そして、被ガイド部３４がガイド溝部３７に摺接されることで、拭浄手段２４が横方向に沿って左右にスライド自在とされる。
【００３８】
両ガイドレール部３５は、ケース２８の上下両端面においてほぼ全長さ領域にわたって配されるとともに、さらにケース２８から図３に示す右側方へ突出している。そして、拭浄手段２４の移動可能範囲は、ケース２８の図３に示す左端位置から、ケース２８から右側方へ突出した位置までとされる。拭浄手段２４がケース２８における右側部または左側部に対向した位置（図３の実線と一点鎖線とにより示した位置）では、光学シート２３の外側に外れており、この位置が拭浄手段２４の退避位置とされる。さらには、拭浄手段２４がガイドレール部３５の右端まで移動した状態（図５に示す位置）では、拭浄手段２４の全幅領域がケース２８や光学シート２３の右側外端から右側外部に外れる。この位置では、拭浄部材３１がケース２８や光学シート２３に対して非接触の状態となっており、この位置が拭浄部材３１を容易に交換可能な交換位置とされる。この交換位置では、拭浄手段２４がパネル支持部２１の右側外端よりも右側外部に配されている。
【００３９】
本実施形態は以上のような構造であり、続いてその作用を説明する。既知の工程を経て製造された液晶パネル１１の両ガラス基板１４の外面にそれぞれ偏光板１７を貼り付ける作業を終えた後、その液晶パネル１１の点灯検査を以下のようにして行う。
【００４０】
図１ないし図３に示すように、点灯検査装置２０におけるパネル支持部２１に対して表側から液晶パネル１１を載せ、各支持ピン２６により液晶パネル１１の表示領域がパネル支持部２１の開口部２１ａとほぼ一致する位置にて支持する。ここで、拭浄手段２４は、検査用バックライト装置２２から照射される光を妨げないよう、左右いずれかの退避位置に配しておく。なお検査用バックライト装置２２は、常時点灯させておいてもよいし、検査時と非検査時とで点灯・消灯を繰り返すようにしてもよい。
【００４１】
続いて、パネル支持部２１の各接続部品２７を傾倒させて液晶パネル１１の各端子部に対して接続するとともに、液晶パネル１１の各配線に対して検査用の信号を供給する。すると、各配線から所定のスイッチング素子と画素電極との間に所定値の電圧が印加されることで、その間に配された液晶１５の配向状態が変化する。この液晶パネル１１には、検査用バックライト装置２２の各線状光源２９から発せられた光が各光学シート２３によって面状の光に変換された状態で照射されており、その照射された光は、上記した液晶１５の配向状態の変化に応じて偏光状態が変化されるなどし、もって液晶パネル１１の表示領域に所定の画像が表示される。このようにして液晶パネル１１に画像を表示させたら、例えば作業員が目視により輝点欠陥や黒点欠陥などの各種欠陥の有無を検査する。検査作業を終えたら、液晶パネル１１をパネル支持部２１から取り外すようにする。
【００４２】
ところで、この点灯検査を行う作業空間では、塵埃などが舞っている可能性があり、その塵埃が点灯検査装置２０に付着するおそれがある。特に、検査用バックライト装置２２における光学シート２３は、表面Ｓが外部に露出しているとともに斜め上方を向いた姿勢とされているため、塵埃が付着することが懸念される。光学シート２３の表面Ｓに塵埃が付着した状態で残存していると、その塵埃により光が乱反射するなどしてそこが光って見えることがあり、そうなると作業員は、仮に液晶パネル１１に何の欠陥が無かったとしても液晶パネル１１に輝点欠陥があると誤認識するおそれがある。
【００４３】
そこで、本実施形態では、液晶パネル１１の点灯検査を終える度に、拭浄手段２４により上記した塵埃を除去するようにしている。具体的には、液晶パネル１１の点灯検査を終えたら、作業員は、把手３６を掴んで横方向へ操作することで、拭浄手段２４を同方向へ移動させる。このとき、両ガイドレール部３５に対して両被ガイド部３４が摺接されることで、拭浄手段２４は横方向へ直線的に移動するようスムーズにガイドされる。この過程では、拭浄部材３１のうち保持部材３２の裏側に配された部分が、光学シート２３の表面Ｓに対して接触した状態で横方向へ移動されるので、それに伴って光学シート２３の表面Ｓに残存していた塵埃が拭浄部材３１によって確実に拭き取られる。
【００４４】
そして、拭浄手段２４が一方の退避位置から他方の退避位置まで移動すると、光学シート２３の表面Ｓのほぼ全域が拭浄部材３１によって拭浄され、もって光学シート２３の表面Ｓに残存していた塵埃がほぼ完全に除去される。上記のようにして清掃作業を終えたら、次の液晶パネル１１の点灯検査を行うのであるが、そのとき光学シート２３の表面Ｓからは塵埃が除去されているので、塵埃に起因して欠陥を誤検出することが防止される。点灯検査を終えたら、拭浄手段２４を他方の退避位置から一方の退避位置まで移動させる清掃作業を行う。なお、清掃作業の頻度については、任意に変更可能である。
【００４５】
ところで、上記した清掃作業を繰り返し行うのに伴って、拭浄部材３１には塵埃が付着して汚れるため、適宜に交換する必要がある。その場合には、図４及び図５に示すように、拭浄手段２４を交換位置、つまり被ガイド部３４がガイドレール部３５のうちケース２８から右側方へ突出する部分に達する位置まで移動させる。この状態では、拭浄部材３１がケース２８や光学シート２３の表面Ｓから完全に離間していて非接触状態となっているので、拭浄部材３１が保持部材３２とケース２８や光学シート２３との間で挟まれた状態よりは、拭浄部材３１を取り外し易くなっている。しかも、この交換位置では、拭浄部材３１がパネル支持部２１の外端よりもさらに外側に配されているので、パネル支持部２１の表側にいる作業員にとって交換作業が行い易くなっている。
【００４６】
以上説明したように本実施形態によれば、液晶パネル１１の点灯検査を行う前に、光学シート２３の表面Ｓに接触した状態の拭浄手段２４を移動手段２５によって移動させることで、光学シート２３の表面Ｓにある塵埃などを拭き取ることができるので、点灯検査を行う際には光学シート２３の表面Ｓに塵埃などが残存しておらず、もって液晶パネル１１に欠陥がないにも拘わらず欠陥が誤検出されるのを防止することができる。しかも、拭浄手段２４を移動手段２５によって移動させるだけで光学シート２３の清掃を行うことができ、作業性が良好なものとなっている。
【００４７】
また、移動手段２５が、拭浄手段２４に設けられた被ガイド部３４と、被ガイド部３４が摺接されることで拭浄手段２４の移動動作をガイド可能なガイドレール部３５とから構成されているから、拭浄手段２４の移動動作がスムーズなものとなって作業性に優れる。
【００４８】
また、ガイドレール部３５が既存の構成である検査用バックライト装置２２に一体的に設けられているから、仮にガイドレール部を別途に設けるようにした場合と比較して、点灯検査装置２０の構造の簡素化を図ることができる。
【００４９】
また、被ガイド部３４が拭浄手段２４における両端部に一対設けられるとともに、それに合わせてガイドレール部３５も一対設けられているから、移動動作をよりスムーズなものとすることができ、また拭浄部材３１を光学シート２３に対して密接状態に保つことができる。
【００５０】
また、ガイドレール部３５が光学シート２３の長手方向に沿って延びる形態とされ、拭浄手段２４を同方向に沿って直線的に移動させることができるから、仮に短辺方向に沿って移動するものと比較すると、移動動作を安定化させることができ、作業性の向上に寄与できる。
【００５１】
また、移動手段２５が拭浄手段２４を光学シート２３の外端よりもさらに外側まで移動できるようになっているから、拭浄部材３１が光学シート２３に対して非接触の状態で拭浄部材３１を交換することができ、交換作業を容易に行うことができる。
【００５２】
また、移動手段２５が拭浄手段２４をパネル支持部２１の外端よりもさらに外側まで移動できるようになっているから、拭浄部材３１の交換作業を行う際にパネル支持部２１が邪魔にならず、作業性に優れる。
【００５３】
＜実施形態２＞
本発明の実施形態２を図７によって説明する。この実施形態２では、拭浄手段２４を光学シート２３に対して接離する方向へ変位させる接離方向変位手段を備えたものを示す。なおこの実施形態２では、上記した実施形態１と同様の構造、作用及び効果について重複する説明は省略する。
【００５４】
被ガイド部４０は、図７に示すように、ガイドレール部３５のガイド溝部３７内に嵌合する板状に形成されており、ガイド溝部３５から上方に突出した部分における横方向両端部には、一対の蝶番４１が連結されている。両蝶番４１のうち被ガイド部４０側とは反対側の端部は、保持部材３２における上端部の横方向両側部に対して連結されている。この蝶番４１が開閉するのに伴い、拭浄手段２４は、ケース２８や光学シート２３に対して接離する方向へ変位可能とされている。拭浄部材３１が光学シート２３に対して接触した位置が、光学シート２３の表面Ｓを拭浄することができる拭浄可能位置（図７にて実線で示す位置）とされる。一方、拭浄部材３１が光学シート２３から離間して非接触となった位置が、拭浄部材３１を交換し易い交換位置（図７にて二点鎖線で示す位置）とされる。
【００５５】
拭浄部材３１を交換する際には、両蝶番４１を開くよう操作することで、拭浄手段２４を拭浄可能位置から交換位置まで変位させる。その状態では、拭浄部材３１が光学シート２３の表面Ｓから離間しているので、交換作業を容易に行うことができる。
【００５６】
なお、この実施形態２では、ガイドレール部３５の長さ寸法がケース２８の長辺寸法とほぼ同一とされている点、パネル支持部２１と検査用バックライト装置２２との間に、拭浄手段２４の上記した変位動作を許容する分の空間が空けられている点において、実施形態１とは構造が相違している。
【００５７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５８】
（１）上記した実施形態では、液晶パネルに偏光板を貼り付けた後に行う点灯検査に用いるものを例示したが、偏光板を貼り付ける前に行う点灯検査に用いるものにも本発明は適用可能である。この工程で用いられる点灯検査装置は、パネル支持部の表側と裏側とにそれぞれ検査用偏光板を備えており、特に裏側の検査用偏光板については、検査用バックライト装置における光学シート群のさらに表側に配されるため、拭浄手段による拭浄対象は裏側の検査用偏光板となる。
【００５９】
（２）上記した（１）以外にも、例えば液晶パネルの各端子部に対してＡＣＦを介してＴＣＰやＳＯＦなどのドライバを実装する作業を行った後で行われる点灯検査に用いるものにも本発明は適用可能である。また、液晶パネルに対して検査用の信号を入力することなく行われる点灯検査に用いられるものにも本発明は適用可能である。
【００６０】
（３）上記した実施形態では、拭浄手段が光学シートの表面を拭浄するものを例示したが、例えば光学シートのさらに表側にアクリル板などの透明な保護板を設けた場合には、拭浄手段による拭浄対象がその保護板となるが、そのようなものも本発明に含まれる。
【００６１】
（４）上記した実施形態では、拭浄手段による拭浄対象である光学シートが検査用バックライト装置に一体的に保持されたものを例示したが、光学シートがパネル支持部側に一体的に保持されるものや、検査用バックライト装置やパネル支持部とは別の部品により保持されるものにも本発明は適用可能である。
【００６２】
（５）上記した実施形態では、拭浄手段の移動経路が直線的なものを例示したが、ガイドレール部の形状を変更するなどして、移動経路を円弧状などの非直線的なものとすることも可能である。
【００６３】
（６）上記した実施形態では、移動手段が被ガイド部とガイドレール部とから構成されるものを例示したが、例えば回動軸を中心に回動可能な回動部材により移動手段を構成し、その回動部材に拭浄手段を連結することで、拭浄手段を回動変位させるようにしたものも本発明に含まれる。
【００６４】
（７）上記した実施形態では、検査用バックライト装置が線状光源を備えたものを示したが、線状光源以外の光源を用いたものも本発明に含まれる。
【００６５】
（８）また光学シートの枚数や種類などについては任意に変更可能である。
【図面の簡単な説明】
【００６６】
【図１】本発明の実施形態１に係る点灯検査装置の斜視図
【図２】点灯検査装置の側断面図
【図３】点灯検査装置の正面図
【図４】拭浄手段を交換位置に配した状態を示す側断面図
【図５】拭浄手段を交換位置に配した状態を示す正面図
【図６】液晶表示装置の断面図
【図７】本発明の実施形態２に係る点灯検査装置の一部切欠平面図
【符号の説明】
【００６７】
１１…液晶パネル（表示パネル）
１５…液晶（物質）
２０…点灯検査装置
２１…パネル支持部
２２…検査用バックライト装置（検査用照明装置）
２３…光学シート（面状部材）
２４…拭浄手段
２５…移動手段
２９…線状光源（光源）
３１…拭浄部材
３２…保持部材
３４…被ガイド部
３５…ガイドレール部
４１…蝶番（接離方向変位手段）
Ｓ…表面
【図１】
2007025132.tif 000003
【図２】
2007025132.tif 000004
【図３】
2007025132.tif 000005
【図４】
2007025132.tif 000006
【図５】
2007025132.tif 000007
【図６】
2007025132.tif 000008
【図７】
2007025132.tif 000009